(57)【特許請求の範囲】
【請求項１】
加圧流体が噴出されるノズルが設けられた流体管と、この流体管における前記ノズルの下流側に開口するように接続された吸引管とを備え、加圧流体の牽引作用によって吸引管から流体管内へ他の流体を吸引するエジェクターにおいて、
前記流体管内に、当該流体管上の吸引管の開口に接続する切欠エルボ管が設けられ、
前記切欠エルボ管は、前記吸引管の開口の周縁から流体管の軸心にほぼ直角に当該軸心に向かって延出する直交管部と、この直交管部の流体管軸心側の端からほぼ直角に屈曲して当該軸心に沿って加圧流体の下流側へ所定長さ伸びて開放する縦割り管部とを具備し、
前記切欠エルボ管の直交管部は、前記ノズルの内径の内側まで前記流体管内に突出し、
前記切欠エルボ管の縦割り管部は、前記流体管の軸に沿って開放した樋形状であることを特徴とするエジェクター。
【請求項２】
前記切欠エルボ管の直交管部は、前記ノズルの内径の１／３付近まで前記流体管内に突出していることを特徴とする請求項１に記載のエジェクター。
【請求項３】
前記吸引管の開口の直径は、前記流体管の直径より小さいことを特徴とする請求項１又は２に記載のエジェクター。
【請求項４】
前記流体管に流れる加圧流体が液体であり、前記吸引管内に吸引される流体が、固形物を搬送する気体であることを特徴とする請求項１ないし３の何れかに記載のエジェクター。
【請求項５】
前記流体管に流れる加圧流体が液体であり、前記吸引管内に吸引される流体が、固形物を搬送する液体であることを特徴とする請求項１ないし３の何れかに記載のエジェクター。
【発明の詳細な説明】
【０００１】
【発明の属する技術分野】
この発明は、例えば、気体、液体又は気体、液体と共に固形物を吸引するエジェクターに関し、更に詳しくは、固形物を破壊することなく吸引することができ、構造が簡単で加工コストが安く、故障の少ないエジェクターに関する。
【０００２】
【従来の技術】
図５は、従来のベンチュリー式エジェクターの概略的断面図である。図中、３１は吸引管で、ガス、液体等の流体を図中下方へ吸引して移送する。吸引管３１は、大径部３２と、隘部３３と、フレア部３４とを有する。ガス、液体等の加圧流体が圧送される加圧流体供給管３５が、吸引管３１の大径部３２内に導入される。加圧流体供給管３５は、大径部３２内において吸引管３１の下流方向へ屈曲して先端にノズル３６が形成される。ノズル３６の先端は、吸引管３１の隘部３３の上流側に接近した位置に配置される。加圧流体供給管３５より供給された加圧流体は、ノズル３６で絞られて勢いよく隘部３３に向かって噴射され、大径部３２内に負圧が生じる。この負圧によって吸引管３１内に別の流体が吸引され、加圧流体と共に下方へ排出される。
【０００３】
【発明が解決しようとする課題】
このような従来のベンチュリー式エジェクターにおいては、吸引管に流体と共に固形物が吸引される場合に、隘部付近に固形物が詰まりやすい。これを防止するために隘部の口径を大きくしたりノズルを隘部から遠ざけたりする場合には、加圧流体の圧力を高めなければならず、そのために大きなエネルギーを要するという問題点がある。また、エジェクターによって液体等と共に加工食品、活魚等の固形物をノンダメージで流送しようとすると、ノズルから噴射されるジェット水流に直接曝され、またノズルの先端、隘部３３に密集して衝突するため、破壊されやすいという問題点がある。
従って、この発明は、吸引管に流体と共に固形物を吸引する場合にも閉塞が生じにくく、相対的に大きな圧力を必要とせず、固形物をノンダメージで流送することができる簡単な構成のエジェクターを提供することを課題としている。
【０００４】
【課題を解決するための手段】
この発明においては、上記課題を解決するため、加圧流体Ａが噴出されるノズル３が設けられた流体管２と、この流体管２におけるノズル３の下流側に開口するように接続された吸引管４とを備え、加圧流体Ａの牽引作用によって吸引管４から流体管２内へ他の流体Ｂを吸引するエジェクター１において、流体管２内に吸引管４の開口５に接続する切欠エルボ管６を設ける構成を採用した。切欠エルボ管６は、吸引管４の開口５の周縁から流体管２の軸心に向かってほぼ直角に延出する直交管部７と、この直交管部７の端からほぼ直角に屈曲して流体管２の軸心に沿って下流側へ所定長さ伸びて開放する縦割り管部８とを具備させる。切欠エルボ管６の直交管部７は、ノズル３の内径の１／２以下の範囲内まで流体管２内に突出させ、縦割り管部８は、流体管２の軸に沿って開放した樋形状とする。加圧流体Ａが、ノズル３から噴射されると、切欠エルボ管６の直交管部７に衝突してカルマン渦流１０が生じ、直交管部７の先端付近を負圧にし、他の流体Ｂを吸引管４で流体管２内へ吸引する。流体管２は断面積が大きく、衝突部位がない上、加圧流体Ａの流速は直交管部７の下流側で急激に低下するので、流体Ｂと共に吸引管４で吸引された固形物は大きなダメージを受けることなく下流側へ送られる。
【０００５】
【発明の実施の形態】
図面を参照して本発明の実施の形態を説明する。図１は、本発明のエジェクターの概略的断面図、図２は図１におけるII−II断面図、図３は図１におけるIII矢視図である。
【０００６】
図示のエジェクター１は、ノズル３を備えた流体管２と、この流体管２におけるノズル３の下流側に開口するように接続された吸引管４とを具備する。吸引管４の内径は、流体管の内径より小さい。流体管２には、水のような加圧流体が流れ、ノズル３から噴出される。ノズル３から噴出された加圧流体Ａの牽引作用によって吸引管４から流体管２内へ他の流体Ｂが吸引される。
【０００７】
流体管２内には、吸引管４の流体管２上の開口５に接続するように、切欠エルボ管６が設けられる。切欠エルボ管６は、直交管部７と縦割り管部８とを具備する。
【０００８】
切欠エルボ管６の直交管部７は、吸引管４の開口５の周縁から流体管６の軸線にほぼ直角に当該軸心に向かって延出する。直交管部７は、ノズル３の内径の１／２以下、望ましくは約１／３の位置まで流体管２内に突出し、先端上部に湾曲部９が形成される。
【０００９】
切欠エルボ管６の縦割り管部８は、直交管部７の流体管軸心側の端からほぼ直角に屈曲し、軸線に沿って下流側へ所定長さ伸びて開放している。縦割り管部８は、流体管２の軸に沿って開放した樋形状である。
【００１０】
切欠エルボ管６は、エルボ管の一方の管部を縦方向に半分切除したもので構成することができるが、同等の構造を別の手段で構築することもできる。
【００１１】
図１に示すように、流体管２を上下の管部２ａとノズル部２ｂとで構成する。ノズル部２ｂは、管材の内側に別体のノズル構成部２ｃを嵌合固定して構成することができる。切欠エルボ管６は、流体管２の組立前に、ノズル部２ｂ内に下方から挿入し、直交管部７の一端側を予め形成された開口から外側に向かって突出させ、気密に封止する。
【００１２】
ポンプによって加圧されて流体管２内に送られた水（流体）Ａは、ノズル３の口径差によって流速が高められ、ジェット流となって下流へ噴出される。ジェット流は流体管２の内側へ突出した切欠エルボ管６の直交管部７に衝突し、ノズル３と直交管部７との間及び直交管部７の先端付近にカルマン渦流１０を生じる。カルマン渦流１０は、直交管部７の先端付近に負圧を発生させ、吸引管４内へ他の流体Ｂを吸引して流体管２内へ合流させる。縦割り管部８の内側とその外側（図１において左側）との速度勾配によって負圧力が増加される。食品等の無破壊流送を行う場合には、物体を液体と共に吸引管４内へ吸引する。吸引管４から流体管２内へ流入する物体はどこにも衝突部位がないので破壊を免れる。また直交管部７の先端部下方においては、ジェット流が当該直交管部７の抵抗により、また流路の断面積が急激に拡大することにより速度を低下させるために、物体に対する破壊力を弱められていることも流入する物体の破壊防止につながる。
【００１３】
このエジェクター１は、例えば図４に示すように、家畜のし尿処理槽等において処理液内に空気を導入するために適用することができる。流体管２にはポンプで処理液を循環させ、吸引管４の上端は液面上に突出させる。吸引管４の上端の位置を調整して、空気、処理液と共に液面上に浮遊するスカムを吸引して攪拌することもできる。
【００１４】
実験の結果、この実施形態のエジェクター１は、吸引管からの吸気量を同等のベンチュリー形のエジェクターに比して、３０〜５０％増大させることが確認できた。
【００１５】
【発明の効果】
以上のように、この発明のエジェクターにおいては、固形物を閉塞なく円滑に、しかも破壊することなく流送することができる。また、し尿処理のための浄化槽、厨房排水のグリーストラップ槽等に適用し、浮上スカム、油脂、臭気ガス等を空気と共に吸引管で吸引し、槽の底部で微生物により分解させるよう動作させる場合等には、大きな吸引力により効率的にシステムを稼働させることができる。また、圧送用ポンプの軸動力を相対的に小さくして省エネルギーにも貢献することができる。
【図面の簡単な説明】
【図１】本発明のエジェクターの概略的断面図である。
【図２】図１におけるII−II断面図である。
【図３】図１におけるIII矢視図である。
【図４】本発明の他の実施形態のエジェクターの概略的断面図である。
【図５】従来のベンチュリー式エジェクターの概略的断面図である。
【符号の説明】
１    エジェクター
２    流体管
３    ノズル
４    吸引管
５    開口
６    切欠エルボ管
７    直交管部
８    縦割り管部
９    湾曲部
１０    カルマン渦流
Ａ    加圧流体
Ｂ    吸引流体
【図１】
0003888545.tif 000002
【図２】
0003888545.tif 000003
【図３】
0003888545.tif 000004
【図４】
0003888545.tif 000005
【図５】
0003888545.tif 000006